(57)【要約】【課題】操作部を筐体の外部に露出させるための開口部と光学系、イメージセンサ等の画像読み取り手段とを簡素な構造で区画する画像読み取り装置を提供する。【解決手段】弾性部材２２には筐体２６の通孔を囲む部位に環状に形成された内リブ１４の外側に当接する環状の外リブ１２が形成されている。このため、筐体２６の通孔１６から画像読み取り手段に至る塵埃の進入路は、内リブ１４と弾性部材２２の外リブ１２との当接部位で遮断される。したがって、イメージスキャナを操作するための操作部１８を有する弾性部材２２自体によって、操作部１８を筐体２６の外部に露出させるための通孔１６と画像読み取り手段とを区画することができる。【選択図】　図１
2004120579.tif 000002
【特許請求の範囲】
【請求項１】
画像読み取り手段を収容している筐体と、
前記筐体に形成された通孔と、
前記筐体の前記通孔を囲む部位に環状に形成され前記筐体の内側に突出している内リブと、
前記内リブに当接する基部と、前記基部から前記内リブの基端側に突出し前記内リブの外側に当接する環状の外リブと、前記基部から突出し前記通孔に挿入される操作部とを有する弾性部材と、
前記筐体に係止されて前記内リブの先端面との間に前記弾性部材の基部を狭持し、前記操作部に対する操作を検出し検出した操作に応じた制御信号を前記画像読み取り手段に入力する検出回路が設けられる基板と、
を備えることを特徴とする画像読み取り装置。
【発明の詳細な説明】
【０００１】
【発明の属する技術分野】
本発明は、画像読み取り装置に関し、特にその防塵構造に関する。
【０００２】
【従来の技術】
従来、イメージスキャナ、複写機、ファクシミリ等の画像読み取り装置が知られている。原稿からイメージセンサに至る光路中に塵埃が進入すると、その塵埃がイメージセンサに画像として入力される。したがって、画像読み取り装置の筐体には原稿からイメージセンサに至る光路への塵埃の進入を防止する構造が必要である。
【０００３】
画像読み取り装置には、読み取り開始を指示するためのスイッチやメニューを操作するためのスイッチなどの各種のスイッチが筐体に設けられる。一般に、スイッチの操作部は筐体の外部に露出し、操作部に対する操作を検出する検出回路は筐体の内部に収容される。スイッチの操作部を筐体の外部に露出させるための開口部を筐体に形成する場合、開口部から筐体内に進入する塵埃が原稿からイメージセンサに至る光路に到達しないように、開口部と光路とを防塵壁で区画する必要がある。
【０００４】
【発明が解決しようとする課題】
本発明は、操作部を筐体の外部に露出させるための開口部と光学系、イメージセンサ等の画像読み取り手段とを簡素な構造で区画する画像読み取り装置を提供することを目的とする。
【０００５】
【課題を解決するための手段】
請求項１に係る画像読み取り装置は、画像読み取り手段を収容している筐体と、前記筐体に形成された通孔と、前記筐体の前記通孔を囲む部位に環状に形成され前記筐体の内側に突出している内リブと、前記内リブに当接する基部と、前記基部から前記内リブの基端側に突出し前記内リブの外側に当接する環状の外リブと、前記基部から突出し前記通孔に挿入される操作部とを有する弾性部材と、前記筐体に係止されて前記内リブの先端面との間に前記弾性部材の基部を狭持し、前記操作部に対する操作を検出し検出した操作に応じた制御信号を前記画像読み取り手段に入力する検出回路が設けられる基板と、を備えることを特徴とする。
【０００６】
請求項１に係る画像読み取り装置によると、弾性部材には筐体の通孔を囲む部位に環状に形成された内リブの外側に当接する環状の外リブが形成されている。このため、筐体の通孔から画像読み取り手段に至る塵埃の進入路は、内リブと弾性部材の外リブとの当接部位で遮断される。したがって、画像読み取り装置を操作するための操作部を有する弾性部材自体によって、操作部を筐体の外部に露出させるための通孔と画像読み取り手段とを区画することができる。すなわち、請求項１に係る画像読み取り装置によると、操作部を筐体の外部に露出させるための通孔と画像読み取り手段とを簡素な構造で区画することができる。
【０００７】
【発明の実施の形態】
以下、実施例に基づいて本発明の実施の形態を説明する。
図２は、本発明の一実施例による画像読み取り装置としてのイメージスキャナ１を示す模式図である。
【０００８】
筐体２６は上部が開口した概ね箱形に形成されている。原稿台２８は、概ね矩形のガラス板等の透明板で形成され、筐体２６の上部に固定され、筐体２６の上部に形成された開口部を閉塞している。原稿台２８の盤面５０に写真フィルム、写真、印刷文書等の原稿４８が載置される。
【０００９】
キャリッジ５２は、筐体２６に固定されたガイドロッド４２に往復移動自在に支持されている。ガイドロッド４２は、原稿台２８の盤面５０と平行な姿勢で筐体２６に固定されている。キャリッジ５２は、ベルト５６に係止され、ベルト５６が掛け渡されたプーリ５４がモータ６４の回転に伴って回転すると、ガイドロッド４２に沿って原稿台２８の盤面５０と平行な方向に移動する。
【００１０】
光源４６は、蛍光管ランプ等の管照明装置から構成され、キャリッジ５２に搭載されている。光源４６は原稿の走査線近傍を照射する。ミラー４４及びレンズ５８は、光源４６に照射された原稿の走査線上の反射光像をリニアイメージセンサ６０に縮小して結像させる。また、光源４６の位置を変えて原稿の透過光像をリニアイメージセンサ６０に結像させるようにしてもよい。
【００１１】
リニアイメージセンサ６０は、ＲＧＢ各色の受光素子がそれぞれキャリッジ５２の移動方向軸に垂直な平面上で原稿台２８の盤面５０と平行に並ぶ姿勢でキャリッジ５２に搭載されている。リニアイメージセンサ６０は、ミラー４４及びレンズ５８により結像される走査線上の光学像を走査し、その光学像の濃淡に相関する電気信号を出力する。リニアイメージセンサ６０は、光電変換で得られる電荷をフォトダイオード等の受光素子に一定時間蓄積し、受光素子ごとの受光量に応じた電気信号をＣＣＤ（Ｃｈａｒｇｅ　Ｃｏｕｐｌｅｄ　Ｄｅｖｉｃｅ）、ＭＯＳトランジスタスイッチ等を用いて出力する。
【００１２】
画像処理部７２は、図示しないＡ／Ｄ変換器、増幅回路、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）等で構成される。ＡＳＩＣでは、ガンマ補正、シェーディング補正、画像信号の鮮鋭化等の処理が行われる。画像処理部７２から出力されるデータは、図示しない外部インタフェース回路を通じてパーソナルコンピュータ等に送出される。
【００１３】
制御部６２は、図示しないマイクロコンピュータ及びインタフェース回路を備える。マイクロコンピュータが所定のプログラムを実行することにより、マイクロコンピュータからインタフェース回路に駆動信号が送出され、インタフェース回路を経由し、モータドライバ等から生成された駆動信号によってモータ６４、光源４６、リニアイメージセンサ６０等が駆動される。光源４６、ミラー４４、レンズ５８、リニアイメージセンサ６０、キャリッジ５２、画像処理部７２及び制御部６２は、請求項に記載の画像読み取り手段に相当する。
【００１４】
操作パネル７０は、複数のスイッチを有する入力部６６とＬＣＤ（Ｌｉｑｕｉｄ　Ｃｒｙｓｔａｌ　Ｄｉｓｐｌａｙ）を有する表示部６８とを備えている。表示部６８は、制御部６２によって駆動され、イメージスキャナ１を操作するためのメニューを表示する。入力部６６のスイッチは、メニューを操作したり、読み取りの開始を指示したりするものであって、制御部６２のマイクロコンピュータに制御信号を入力する。
【００１５】
図１は、操作パネル７０を示す断面図である。図３は操作パネル７０の外観を示す斜視図である。
入力部６６のスイッチは、基板３８上に互いに離間して形成された一組の電極３２、３６、弾性部材２２、及び弾性部材２２に固定された導電性パッド３４で構成される。互いに離間した一組の電極３２、３６に導電性パッド３４が当接すると、電極３２、３６が導通し、制御部６２のマイクロコンピュータに入力される制御信号がオンになる。
【００１６】
弾性部材２２は、操作部１８、基部４０及び外リブ１２を有する。弾性部材２２は例えばシリコンゴムから成形により一体成形されている。弾性部材２２は、筐体２６の内側に突出している内リブ１４と、筐体２６にねじ３０で固定された基板３８とによって狭持されている。弾性部材２２は、通孔１６毎に１つ設けてもよいし、複数の通孔１６に対して１つ設けてもよいし、操作パネル７０に１つだけ設けてもよい。
【００１７】
操作部１８は、基部４０から突出した概ね円柱状に形成されている。操作部１８は筐体２６に形成された通孔１６に挿入されている。操作部１８の先端面２０は、筐体２６の外側に突出している。操作部１８の基端面には導電性パッド３４が固定されている。導電性パッド３４は、カーボンなどの導電性材料で形成されている。操作部１８に力が加えられていない状態では、導電性パッド３４と基板３８に設けられた一組の電極３２、３６とは離間している。操作部１８の先端面２０を筐体２６の内部に押し込む力により操作部１８が変形すると、基板３８に設けられた一組の電極３２、３６に導電性パッド３４が当接する。尚、本実施例では、導電性パッド３４及び一組の電極３２、３６によって操作部１８の基端面の位置を検出しているが、例えば操作部１８の基端面に加わる圧力を検出してもよい。操作部１８の基端面の位置や圧力を検出することによって、操作部１８を押すという操作が検出される。
【００１８】
基部４０は、概ね平板状に形成され、複数の操作部１８の基端を連結している。基部４０の外縁部は、筐体２６の内リブ１４の先端面に当接している。
外リブ１２は、基部４０の外縁部から内リブ１４の基端側に向かって突出している。外リブ１２は、環状の内リブ１４の外壁に内壁が当接するように環状に形成されている。
【００１９】
筐体２６には複数の通孔１６が形成されている。弾性部材２２の操作部１８と通孔１６との間には環状の隙間が形成されている。したがって弾性部材２２の操作部１８は、通孔１６の軸方向に移動可能である。
【００２０】
内リブ１４は筐体２６の内側に突出している。内リブ１４は１つ以上の通孔１６を囲むように環状に形成されている。内リブ１４の先端面は、１つの仮想平面に含まれ、弾性部材２２の基部４０に当接する。弾性部材２２及び基板３８が筐体２６に固定された状態で外リブ１２及び基部４０が内リブ１４と環状に当接するように内リブ１４及び外リブ１２の形状及び寸法を設定する。また、外リブ１２及び内リブ１４の寸法公差が外リブ１２の弾性変形によって吸収されるように、外リブ１２に内リブ１４が圧入される寸法を設定する。
【００２１】
基板３８の表面上にはプリント回路が形成されている。このプリント回路は、複数の操作部１８の基端面の位置を検出するための電極３２、３６を有し、請求項に記載された検出回路に相当する。基板３８に設けられた回路は、操作部１８が押されると、押された操作部１８に対応する制御信号をオンにする。基板３８は、筐体２６にねじ３０で固定されている。
【００２２】
以上説明した本発明の一実施例によると、筐体２６の内リブ１４の先端面と弾性部材２２の基部４０との隙間に塵埃が進入したとしても、弾性部材２２の外リブ１２と筐体２６の内リブ１４が環状に当接しているため、筐体２６と弾性部材２２と基板３８とで囲まれた空間内に塵埃が貯留され、その空間の外側まで塵埃が進入することはない。したがって、筐体２６の通孔から筐体内部に進入した塵埃は、原稿台２８からリニアイメージセンサ６０に至る光路に到達することはない。このように本実施例によると、イメージスキャナ１を操作するための操作部１８を有する弾性部材２２自体によって操作部１８を筐体２６の外部に露出させるための通孔１６と原稿台２８からリニアイメージセンサ６０に至る光路とを区画することができる。すなわち、本実施例によると、操作部１８を筐体２６の外部に露出させるための通孔１６と光源４６、ミラー４４、レンズ５８、リニアイメージセンサ６０等で構成される画像読み取り手段とを簡素な構造で区画することができる。
【００２３】
尚、上述した実施例では本発明をイメージスキャナに適用した例を説明したが、本発明は複写機、ファクシミリ等の各種の画像読み取り装置に適用することができる。
【図面の簡単な説明】
【図１】本発明の一実施例によるイメージスキャナの操作パネルを示す断面図である。
【図２】本発明の一実施例によるイメージスキャナを示す模式図である。
【図３】本発明の一実施例によるイメージスキャナの操作パネルを示す斜視図である。
【符号の説明】
１　　イメージスキャナ（画像読み取り装置）
１２　　外リブ
１４　　内リブ
１６　　通孔
１８　　操作部
２２　　弾性部材
２６　　筐体
３８　　基板
４０　　基部
４４　　ミラー（画像読み取り手段）
４６　　光源（画像読み取り手段）
５２　　キャリッジ（画像読み取り手段）
５８　　レンズ（画像読み取り手段）
６０　　リニアイメージセンサ（画像読み取り手段）
６２　　制御部（画像読み取り手段）
７２　　画像処理部（画像読み取り手段）
【図１】
2004120579.tif 000003
【図２】
2004120579.tif 000004
【図３】
2004120579.tif 000005